(57)【要約】【課題】複数種類（ＣＤ、ＤＶＤ、Ｂｌｕ−ｒａｙ  Ｄｉｓｃ）の光ディスクを装着可能な光ディスク装置において、ディスク判別時のフォーカス駆動範囲が制限されていても、迅速かつ正確に光ディスクの種類を判別すること。【解決手段】光ピックアップは、複数種類の光ディスクに対応する波長が異なる複数のレーザ光源３，４，５を有し、最初に最短波長の第１のレーザ光源（Ｂｌｕ−ｒａｙ  Ｄｉｓｃ用）３からレーザ光を発光する。フォーカス制御手段１３は対物レンズ２をフォーカス方向に駆動し、光ディスク１の表面あるいは記録面からの反射光信号を検出する。ディスク判別手段１４は、検出信号に基づき、光ディスクが装着されているか否かを判定するとともに装着された光ディスクがＢｌｕ−ｒａｙ  Ｄｉｓｃであるか否かを判別する。【選択図】図３
2006323936.tif 000002
【特許請求の範囲】
【請求項１】
複数種類の光ディスクを装着可能な光ディスク装置において、
該複数種類の光ディスクに対応する波長が異なる複数のレーザ光源と、該レーザ光源から照射されるレーザ光を装着された光ディスクの面に集光させる対物レンズとを有する光ピックアップと、
該対物レンズをフォーカス方向に駆動するフォーカス制御手段と、
該光ディスクの表面あるいは記録面からの反射光により信号を検出する検出手段と、
該検出手段からの検出信号に基づき、該光ディスクの種類を判別するとともに光ディスクの装着を判定するディスク判別手段とを備え、
ディスク判別の際、上記光ピックアップは、最初に、最短波長の第１の種類の光ディスクに対応する第１のレーザ光源からレーザ光を発光し、上記フォーカス制御手段により上記対物レンズを駆動させて得られる検出信号に基づいて、上記ディスク判別手段は、光ディスクが装着されているか否かを判定するとともに、装着された光ディスクが上記第１の種類の光ディスクであるか否かを判別することを特徴とする光ディスク装置。
【請求項２】
請求項１記載の光ディスク装置において、
前記検出手段からの検出信号に基づき、前記光ディスクの表面あるいは記録面からの反射光量の和信号を生成する全反射光量演算手段と、前記対物レンズの合焦点と目標位置との誤差であるフォーカス誤差信号を生成するフォーカス誤差信号演算手段とを備え、
前記ディスク判別手段は、該反射光量の和信号および該フォーカス誤差信号に基づき、該光ディスクの種類を判別するとともに光ディスクの装着を判定することを特徴とする光ディスク装置。
【請求項３】
請求項１記載の光ディスク装置において、
前記フォーカス制御手段は、前記対物レンズの集光する範囲が、前記第１の種類の光ディスクの表面と記録面とを含む範囲となるよう駆動し、
該第１のレーザ光源からレーザ光を発光することで、前記検出手段は、該第１の種類の光ディスクの表面と記録面とを分離して検出することを特徴とする光ディスク装置。
【請求項４】
請求項１記載の光ディスク装置において、
前記ディスク判別手段によって、前記装着された光ディスクが前記第１の種類以外のものであると判別された場合、引き続き前記光ピックアップは、次に波長が短い第２の種類の光ディスクに対応する第２のレーザ光源からレーザ光を発光し、前記フォーカス制御手段により前記対物レンズを駆動させて得られる検出信号に基づいて、前記ディスク判別手段は、装着された光ディスクが上記第２の種類の光ディスクであるか否かを判別することを特徴とする光ディスク装置。
【請求項５】
請求項１記載の光ディスク装置において、
前記光ピックアップは、前記複数のレーザ光源からのレーザ光を共通の対物レンズにて集光する構成としたことを特徴とする光ディスク装置。
【請求項６】
請求項１記載の光ディスク装置において、
前記光ピックアップは、前記複数のレーザ光源からのレーザ光を複数の対物レンズにて集光する構成としたことを特徴とする光ディスク装置。
【請求項７】
請求項１記載の光ディスク装置において、
前記フォーカス制御手段は、前記対物レンズを前記光ディスクに近づく方向に移動させ、該移動する期間内に、前記ディスク判別手段は、該光ディスクの種類を判別するとともに光ディスクの装着を判定することを特徴とする光ディスク装置。
【請求項８】
ＣＤ、ＤＶＤ、およびＢｌｕ−ｒａｙ  Ｄｉｓｃを含む複数種類の光ディスクを装着可能な光ディスク装置において、
該複数種類の光ディスクに対応する波長が異なる複数のレーザ光源と、該レーザ光源から照射されるレーザ光を装着された光ディスクの面に集光させる対物レンズとを有する光ピックアップと、
該対物レンズをフォーカス方向に駆動するフォーカス制御手段と、
該光ディスクの表面あるいは記録面からの反射光により信号を検出する検出手段と、
該検出手段からの検出信号に基づき、該光ディスクの種類を判別するとともに光ディスクの装着を判定するディスク判別手段とを備え、
ディスク判別の際、上記光ピックアップは最初に上記Ｂｌｕ−ｒａｙ  Ｄｉｓｃに対応するレーザ光源からレーザ光を発光し、上記フォーカス制御手段により上記対物レンズを駆動させて得られる検出信号に基づいて、上記ディスク判別手段は、光ディスクが装着されているか否かを判定するとともに、装着された光ディスクが上記Ｂｌｕ−ｒａｙ  Ｄｉｓｃであるか否かを判別することを特徴とする光ディスク装置。
【請求項９】
請求項８記載の光ディスク装置において、
前記ディスク判別手段によって、前記装着された光ディスクが前記Ｂｌｕ−ｒａｙ  Ｄｉｓｃ以外のものであると判別された場合、引き続き前記光ピックアップは前記ＤＶＤに対応するレーザ光源からレーザ光を発光し、前記フォーカス制御手段により前記対物レンズを駆動させて得られる検出信号に基づいて、前記ディスク判別手段は、装着された光ディスクが上記ＤＶＤであるか否かを判別することを特徴とする光ディスク装置。
【請求項１０】
複数種類の光ディスクを装着可能な光ディスク装置において、
該複数種類の光ディスクは、各ディスクの表面から異なる深さの位置に記録面を有するものであって、
該複数種類の光ディスクに対応する波長が異なる複数のレーザ光源と、該レーザ光源から照射されるレーザ光を装着された光ディスクの面に集光させる対物レンズとを有する光ピックアップと、
該対物レンズをフォーカス方向に駆動するフォーカス制御手段と、
該光ディスクの表面あるいは記録面からの反射光により信号を検出する検出手段と、
該検出手段からの検出信号に基づき、該光ディスクの種類を判別するとともに光ディスクの装着を判定するディスク判別手段とを備え、
ディスク判別の際、上記光ピックアップは、最初に、ディスクの表面から最も浅い位置に記録面を有する第１の種類の光ディスクに対応するレーザ光源からレーザ光を発光し、上記フォーカス制御手段により上記対物レンズを駆動させて得られる検出信号に基づいて、上記ディスク判別手段は、光ディスクが装着されているか否かを判定するとともに、装着された光ディスクが上記第１の種類の光ディスクであるか否かを判別することを特徴とする光ディスク装置。
【請求項１１】
複数種類の光ディスクを装着可能な光ディスク装置における光ディスク判別方法において、
上記複数種類の光ディスクに対応する波長が異なる複数のレーザ光のうち、最初に、最短波長の第１の種類の光ディスクに対応する第１のレーザ光を発光させて対物レンズに照射し、
該対物レンズをフォーカス方向に駆動させて装着された光ディスクの面に集光させ、
該光ディスクの表面あるいは記録面からの反射光により信号を検出し、
該検出した信号に基づいて、光ディスクが装着されているか否かを判定するとともに、装着された光ディスクが上記第１の種類の光ディスクであるか否かを判別することを特徴とする光ディスク判別方法。
【請求項１２】
請求項１１記載の光ディスク判別方法において、
前記対物レンズを駆動する範囲は、該対物レンズにより集光する範囲が、前記第１の種類の光ディスクの表面と記録面とを含むよう駆動し、
該第１のレーザ光を発光することで、該第１の種類の光ディスクの表面と記録面とを分離して検出することを特徴とする光ディスク判別方法。
【請求項１３】
請求項１１記載の光ディスク判別方法において、
前記ディスク判別の結果、前記装着された光ディスクが前記第１の種類以外のものであると判別された場合、引き続き次に波長が短い第２の種類の光ディスクに対応する第２のレーザ光を発光させて前記対物レンズに照射し、
該対物レンズをフォーカス方向に駆動させて該光ディスクの面に集光させ、
該光ディスクからの反射光により信号を検出し、
該検出信号に基づいて、該光ディスクが上記第２の種類の光ディスクであるか否かを判別することを特徴とする光ディスク判別方法。
【請求項１４】
複数種類の光ディスクを装着可能な光ディスク装置における光ディスク判別方法において、
該複数種類の光ディスクは、各ディスクの表面から異なる深さの位置に記録面を有するものであって、
上記複数種類の光ディスクに対応する波長が異なる複数のレーザ光のうち、最初に、ディスクの表面から最も浅い位置に記録面を有する第１の種類の光ディスクに対応する第１のレーザ光を発光させて対物レンズに照射し、
該対物レンズをフォーカス方向に駆動させて装着された光ディスクの面に集光させ、
該光ディスクの表面あるいは記録面からの反射光により信号を検出し、
該検出した信号に基づいて、光ディスクが装着されているか否かを判定するとともに、装着された光ディスクが上記第１の種類の光ディスクであるか否かを判別することを特徴とする光ディスク判別方法。
【発明の詳細な説明】
【技術分野】
【０００１】
本発明は、複数種類の光ディスクを装着可能な光ディスク装置に係り、迅速かつ正確に装着された光ディスクの種類を判別することが可能な光ディスク装置および光ディスク判別方法に関する。
【背景技術】
【０００２】
近年、映像情報やコンピュータデータ等の大容量化に伴って、それらを保存する光ディスク媒体として、従来のＣＤやＤＶＤに代わりさらに大容量化が可能なＢｌｕ−ｒａｙ  Ｄｉｓｃの開発が行われている。そして、今後の光ディスク装置は、これら複数種類の光ディスクを装着できることが望ましい。
【０００３】
上記ＣＤ，ＤＶＤ，Ｂｌｕ−ｒａｙ  Ｄｉｓｃの特徴を図１を参照して比較する。記録または再生を行うレーザ光源の波長は、ＣＤにおいて７８０ｎｍ、ＤＶＤにおいて６５０ｎｍ、Ｂｌｕ−ｒａｙ  Ｄｉｓｃにおいて４０５ｎｍであり、Ｂｌｕ−ｒａｙ  Ｄｉｓｃのレーザ光源の波長が最も短い。また、図１に示すように、対物レンズ側のディスク表面から記録面までの距離（カバー層の厚さ）は、ＣＤにおいて約１．１ｍｍ、ＤＶＤにおいて約０．６ｍｍ、Ｂｌｕ−ｒａｙ  Ｄｉｓｃにおいて約０．１ｍｍである。つまり、カバー層の厚さは、Ｂｌｕ−ｒａｙ  Ｄｉｓｃが最も小さく、ＤＶＤの６分の１程度である。さらに、対物レンズの開口数（ＮＡ）は、ＣＤにおいて０．４５、ＤＶＤにおいて０．６、Ｂｌｕ−ｒａｙ  Ｄｉｓｃにおいて０．８５である。これらの結果、現在の光ディスク装置において、フォーカス引込み時の対物レンズとディスク表面との距離（ワーキングディスタンスＷＤ）は、図１のように、ＣＤとＤＶＤに比較しＢｌｕ−ｒａｙ  Ｄｉｓｃの場合（ＷＤ３）極端に小さくなっている。
【０００４】
ところで、装着されたディスクの種類を判別する際には、光スポットがディスク表面またはディスク記録面を通過する際に、ディスクの反射率に応じた反射光量の和信号とフォーカス誤差信号を検出し、それらの電圧値や検出位置などがディスクの種類により異なることを利用する。
【０００５】
これまでにディスクの種類を判別する技術がいくつか提案されている。例えば特許文献１には、２種類のディスク（ＣＤ、ＤＶＤ）を判別する光ディスク装置において、最初に波長の長いＣＤ用光源を点灯させてディスクに照射し、次に波長の短いＤＶＤ用光源を点灯させてディスクに照射することにより、ディスクの種類を判別することが記載されている。
【０００６】
【特許文献１】特開２００１−１１０１２８号公報
【発明の開示】
【発明が解決しようとする課題】
【０００７】
ＣＤとＤＶＤに加え、Ｂｌｕ−ｒａｙ  Ｄｉｓｃの３種類の光ディスクを装着可能な光ディスク装置を提供するためには、従来の技術では対応できない新たな課題が発生する。またディスクを判別する際に、特許文献１に教示される技術を採用し、最初に最長波長であるＣＤ用レーザ光源からレーザ光を発光してディスクの種類を判別する場合、次の２つの問題が生じる。
【０００８】
第１の問題は、図２に示すように、Ｂｌｕ−ｒａｙ  Ｄｉｓｃの場合にはディスク表面とディスク記録面との距離（カバー層の厚さ）が極めて小さい。これを最長波長であるＣＤ用レーザ光にてディスク判別を行った場合、図２の（３）および（４）に示すように、ディスク表面とディスク記録面からの反射光量の和信号およびフォーカス誤差信号の信号レベルは接近して区別しにくい。その結果、ディスク記録面をディスク表面と誤判別してしまう恐れがある。ここでもし誤判別した場合、装置はさらに記録面からの信号が検出できるまでフォーカスアクチュエータを駆動するので、対物レンズはディスクに衝突する危険がある。この問題は、Ｂｌｕ−ｒａｙ  Ｄｉｓｃに対し、ＤＶＤ用レーザ光にてディスク判別を行った場合にも同様である。従来のＣＤとＤＶＤにおいてはカバー層が厚く、このようなディスク表面と記録面との誤判別は考慮されていなかった。
【０００９】
第２の問題は、光ディスク装置の薄型化に伴い、対物レンズのフォーカス方向の駆動範囲が従来よりも狭く制限されていることである。例えば、対物レンズがディスク表面から後退できる距離は最大約１ｍｍとなる。その結果、最長波長であるＣＤ用レーザ光にてディスク判別を行う場合、合焦点がディスク表面を捉えることができなくなる（この場合ディスク表面を捉えるためには、約２ｍｍ後退させる必要がある）。よって、ディスクが未装着であるかどうかの判別が困難となる。他のレーザ光に切り換えて判断するにしても、時間を要することになる。この問題は、ＤＶＤ用レーザ光を用いて限られた駆動範囲でディスク判別を行う場合にも同様である。
【００１０】
本発明の目的は、複数種類の光ディスクに対応した波長が異なる複数のレーザ光源を備えた光ディスク装置において、ディスク判別時のフォーカス駆動範囲が従来よりも狭くなっても、迅速かつ正確に光ディスクの種類を判別または光ディスクが装着されたかを判定することが可能な光ディスク装置および光ディスク判別方法を提供することにある。
【課題を解決するための手段】
【００１１】
本発明による光ディスク装置では、複数種類の光ディスクに対応する波長が異なる複数のレーザ光源とレーザ光源から照射されるレーザ光を装着された光ディスクの面に集光させる対物レンズとを有する光ピックアップと、対物レンズをフォーカス方向に駆動するフォーカス制御手段と、光ディスクの表面あるいは記録面からの反射光により信号を検出する検出手段と、検出手段からの検出信号に基づき光ディスクの種類を判別するとともに光ディスクの装着を判定するディスク判別手段とを備える。ディスク判別の際、光ピックアップは、最初に、最短波長の第１の種類の光ディスクに対応する第１のレーザ光源からレーザ光を発光し、フォーカス制御手段により対物レンズを駆動させて得られる検出信号に基づいて、ディスク判別手段は、光ディスクが装着されているか否かを判定するとともに装着された光ディスクが第１の種類の光ディスクであるか否かを判別する。
【００１２】
本発明の光ディスク装置は、ＣＤ、ＤＶＤ、およびＢｌｕ−ｒａｙ  Ｄｉｓｃを含む複数種類の光ディスクが装着可能であって、光ピックアップは最初にＢｌｕ−ｒａｙ  Ｄｉｓｃに対応するレーザ光源からレーザ光を発光し、フォーカス制御手段により対物レンズを駆動させて得られる検出信号に基づいて、ディスク判別手段は、光ディスクが装着されているか否かを判定するとともに、装着された光ディスクがＢｌｕ−ｒａｙ  Ｄｉｓｃであるか否かを判別する。
【００１３】
本発明による光ディスク判別方法では、複数種類の光ディスクに対応する波長が異なる複数のレーザ光のうち、最初に、最短波長の第１の種類の光ディスクに対応する第１のレーザ光を発光させて対物レンズに照射し、対物レンズをフォーカス方向に駆動させて装着された光ディスクの面に集光させ、光ディスクの表面あるいは記録面からの反射光により信号を検出し、検出信号に基づいて光ディスクが装着されているか否かを判定するとともに装着された光ディスクが第１の種類の光ディスクであるか否かを判別する。
【発明の効果】
【００１４】
本発明によれば、ディスク判別時のフォーカス駆動範囲が狭い場合でも、迅速かつ正確にディスクの種類を判別し、またはディスクが装着されたかを判定することが可能である。
【発明を実施するための最良の形態】
【００１５】
以下、本発明を採用した光ディスク装置および光ディスク判別方法のいくつかの実施例について、図面を用いて説明する。
【実施例１】
【００１６】
図３は、本発明による光ディスク装置の一実施例を示す構成ブロック図である。本実施例の装置は、複数種類の光ディスク１に対して記録または再生が可能な装置であり、対象として、Ｂｌｕ−ｒａｙ  Ｄｉｓｃ、ＤＶＤ、ＣＤの３種類に対応するものとする。光ピックアップは、３種類の光ディスクに対応した波長が異なる複数のレーザ光源３，４，５と、共通の対物レンズ２とを有する。各レーザ光の波長は、第１のレーザ光源３（Ｂｌｕ−ｒａｙ  Ｄｉｓｃ用４０５ｎｍ）が最も短く、次に第２のレーザ光源４（ＤＶＤ用６５０ｎｍ）、そして第３のレーザ光源５（ＣＤ用７８０ｎｍ）が最も長い。
【００１７】
レーザ発光制御回路６は、レーザ光源３，４，５から照射するレーザ光を制御し、対物レンズ２は、照射されたレーザ光を光ディスク１の記録面（目標位置）に集光させる。フォーカスアクチュエータ９は、上記対物レンズ２を光ディスク１に対して垂直方向に駆動する。光検出器７は、光ディスク１からの反射光を検出し受光信号を生成する。
【００１８】
全反射光量演算回路８は、光検出器７における受光信号に基づいて、反射光量の和信号を生成する。フォーカス誤差信号演算回路（ＦＥ信号演算回路）１０は、光検出器７における受光信号に基づいて、対物レンズ２の合焦点と目標位置との誤差であるフォーカス誤差信号を生成する。また、フォーカス駆動信号生成回路（ＦＯＤ信号生成回路）１１は、フォーカス誤差信号演算回路１０の出力に基づいて、対物レンズ２を光ディスク１の目標位置に焦点を合わせるためのフォーカス駆動信号を生成する。フォーカスアクチュエータドライバ１２は、フォーカス駆動信号生成回路１１より送られた信号に基づいて、フォーカスアクチュエータ９を駆動する。一方フォーカス制御回路１３は、光ディスクの判別を行うために、フォーカス駆動信号生成回路１１に対して、光ディスク１の種類に応じて異なるフォーカス駆動値（ディスク面からの距離範囲）およびフォーカス加速度を設定する。
【００１９】
ディスク判別処理回路１４は、全反射光量演算回路８により生成された反射光量の和信号およびフォーカス誤差信号演算回路１０により生成されたフォーカス誤差信号に基づいて、光ディスク１の種類を判別または光ディスク１が装着されているか否かを判定する。判定の結果、ディスク未装着の場合は、レーザ発光制御回路６に対してレーザを消灯するように指令を送り、また、フォーカス制御回路１３に対してフォーカス制御を終了するように指令を送る。また、判定の結果、装着されているディスクが現在発光しているレーザ光源に対応していない場合には、レーザ発光制御回路６に対して他の対応するレーザ光源からレーザ発光を行うように指令を送り、また、フォーカス制御回路１３に対しては他のフォーカス駆動値およびフォーカス加速度を設定するように指令を送る。
【００２０】
本実施例の光ディスク装置では、光ディスクの判別に関し、最初に、最短波長の第１のレーザ光源３（Ｂｌｕ−ｒａｙ  Ｄｉｓｃ用）からレーザ光を発光し、フォーカス制御回路１３によりフォーカス駆動信号生成回路１１に対して最小幅のフォーカス駆動値および最小のフォーカス加速度を設定して、対物レンズ２をフォーカス方向に駆動することに特徴がある。この駆動範囲は、対物レンズ２の集光する範囲が、第１のレーザ光源の波長に対応した光ディスク（すなわちＢｌｕ−ｒａｙ  Ｄｉｓｃ）の表面と記録面とを含む範囲となるよう設定する。そして、全反射光量演算回路８により生成された反射光量の和信号およびフォーカス誤差信号演算回路１０により生成されたフォーカス誤差信号に基づいて、ディスク判別処理回路１４は、いずれかのディスクが装着されているか否かを判定するとともに、装着されていれば、そのディスクが最短波長に対応したＢｌｕ−ｒａｙ  Ｄｉｓｃであるか、またはそれ以外のディスクであるかを判別する。
【００２１】
装着されたディスクがＢｌｕ−ｒａｙ  Ｄｉｓｃ以外であると判別した場合には、レーザ発光制御装置６は、最短波長の第１のレーザ光源３を消灯させ、次に波長が短い第２のレーザ光源４（ＤＶＤ用）を発光させる。そして、フォーカス制御回路１３は、フォーカス駆動信号生成回路１１に対して他のフォーカス駆動値およびフォーカス加速度を設定して、対物レンズ２をフォーカス方向に駆動する。全反射光量演算回路８により生成された反射光量の和信号およびフォーカス誤差信号演算回路１０により生成されたフォーカス誤差信号に基づいて、ディスク判別処理回路１４は、装着されたディスクがＤＶＤであるか、またはそれ以外のディスクであるかを判別する。本実施例の場合、それ以外のディスクであれば、残りの種類のＣＤであることが判明する。
【実施例２】
【００２２】
図４は、本発明による光ディスク装置の他の実施例を示す構成ブロック図である。本実施例の装置は、ワーキングディスタンスが異なる複数の種類の光ディスク１に対して記録または再生が可能な装置であり、前記実施例と同様に、Ｂｌｕ−ｒａｙ  Ｄｉｓｃ、ＤＶＤ、ＣＤの３種類に対応し、Ｂｌｕ−ｒａｙ  Ｄｉｓｃはワーキングディスタンスが他より小さい場合である。光ピックアップは、２つの対物レンズ１５，１６を有する。その他の各ブロックの動作は、上記実施例１と同様であり、ここではその説明を省略する。
【００２３】
第１の対物レンズ１５は、第１のレーザ光源３（Ｂｌｕ−ｒａｙ  Ｄｉｓｃ用）からのレーザ光を光ディスク１の記録面上に集光させる。また、第２の対物レンズ１６は、第２のレーザ光源４（ＤＶＤ用）および第３のレーザ光源５（ＣＤ用）を光ディスク１の記録面上に集光させる。ここで第１の対物レンズ１５は、第２の対物レンズ１６よりもワーキングディスタンスが狭くなるように配置されている。フォーカスアクチュエータ９は、上記第１の対物レンズ１５および第２の対物レンズ１６を光ディスク１に対して垂直方向に駆動する。光検出器７は、第１の対物レンズ１５または第２の対物レンズ１６により集光されたレーザ光の光ディスク１からの反射光を検出し、それに基づいて受光信号を生成する。
【００２４】
本実施例の光ディスク装置では、光ディスクの判別に関し、最初に、最短波長の第１のレーザ光源３（Ｂｌｕ−ｒａｙ  Ｄｉｓｃ用）からレーザ光を発光し、フォーカス制御回路１３によりフォーカス駆動信号生成回路１１に対して最小幅のフォーカス駆動値および最小のフォーカス加速度を設定して、第１の対物レンズ１５をフォーカス方向に駆動することに特徴がある。そして、全反射光量演算回路８により生成された反射光量の和信号およびフォーカス誤差信号演算回路１０により生成されたフォーカス誤差信号に基づいて、ディスク判別処理回路１４は、いずれかのディスクが装着されているか否かを判定するとともに、装着されていれば、そのディスクが最短波長に対応したＢｌｕ−ｒａｙ  Ｄｉｓｃであるか、またはそれ以外のディスクであるかを判別する。
【００２５】
装着されたディスクがＢｌｕ−ｒａｙ  Ｄｉｓｃ以外であると判別した場合には、レーザ発光制御装置６は、最短波長の第１のレーザ光源３を消灯させ、次に波長が短い第２のレーザ光源４（ＤＶＤ用）を発光させて、第２の対物レンズ１６に導く。そして、フォーカス制御回路１３は、フォーカス駆動信号生成回路１１に対して他のフォーカス駆動値およびフォーカス加速度を設定して、第２の対物レンズ１６をフォーカス方向に駆動する。全反射光量演算回路８により生成された反射光量の和信号およびフォーカス誤差信号演算回路１０により生成されたフォーカス誤差信号に基づいて、ディスク判別処理回路１４は、装着されたディスクがＤＶＤであるか、またはそれ以外のディスクであるかを判別する。本実施例の場合、それ以外のディスクであれば、残りの種類のＣＤであることが判明する。
【００２６】
本実施例では、対物レンズをレーザ光の波長に応じて切り換えて使用するので、より的確なディスク判別が可能となる。
【００２７】
図５は、本発明による光ディスクの判別方法の一実施例を示すフローチャート図である。本実施例は、３種類の光ディスク、ＣＤ，ＤＶＤ，Ｂｌｕ−ｒａｙ  Ｄｉｓｃに対して判別するもので、装置の薄型を図るために、フォーカス駆動範囲を狭く制限する。図２のようにワーキングディスタンスが約０．５ｍｍである場合に、ディスク判別時の対物レンズのフォーカス駆動範囲を、対物レンズが基準位置（ａ位置）からディスクから遠ざかる方向に０．５ｍｍ（ｂ位置）、また、ディスクに近づく方向に０．３ｍｍ（ｃ位置）の範囲で駆動するように設定する。
【００２８】
まず最初に、最短波長のレーザ光源であるＢｌｕ−ｒａｙ  Ｄｉｓｃ用の第１のレーザ光源３を発光し（Ｓ５０１）、次に対物レンズ２または第１の対物レンズ１５を、フォーカスアクチュエータ９によりディスクから遠ざかる方向に０．５ｍｍ（ｂ位置）、ディスクに近づく方向に０．３ｍｍ（ｃ位置）の範囲で駆動する（Ｓ５０２）。その各駆動位置に対して、全反射光量演算回路８は反射光量の和信号を、フォーカス誤差信号演算回路１０はフォーカス誤差信号を取得する（Ｓ５０３）。
【００２９】
本実施例では、駆動位置がａ位置近傍において、レーザ光の合焦点がディスク表面を通過することになる。よってａ位置近傍にて取得できる信号の有無により、ディスクの装着／未装着を判定する（Ｓ５０４）。もしａ位置近傍において、何ら信号を検出できなかった場合は、「ディスク未装着」と判定して終了する（Ｓ５０５）。
【００３０】
ａ位置近傍で信号を検出できたら「ディスク装着あり」と判定して、ディスクの種類を判断するために、記録面の存在（深さ）を調べる（Ｓ５０６）。もしＢｌｕ−ｒａｙ  Ｄｉｓｃであれば、ディスク表面からわずかに離れた位置（約０．１ｍｍ）に記録面が存在するので、図２の（１）（２）に示すような２箇所からの検出信号が得られ、これより「Ｂｌｕ−ｒａｙ  Ｄｉｓｃ」と判別して次の処理に進む（Ｓ５０７）。
【００３１】
ａ位置近傍での検出信号が１箇所のみであれば、他の種類のディスクと判断して、次に波長の短いＤＶＤ用の第２レーザ光源４からレーザ光を発光する（Ｓ５０８）。そして対物レンズ２または第２対物レンズ１６をフォーカス方向に駆動し（Ｓ５０９）、反射光量の和信号とフォーカス誤差信号を取得する（Ｓ５１０）。この時のフォーカス駆動範囲は、ＤＶＤの記録面が存在する位置（既知）を含む範囲に設定すればよく、ディスク表面を捉える必要はない。また、ＤＶＤとＣＤでは、記録面の深さが大きく異なるので、両者は容易に区別できる。ＤＶＤの所定の記録面からの検出信号の有無を判断し（Ｓ５１１）、信号が得られれば「ＤＶＤ」と判別して次の処理に進む（Ｓ５１２）。
【００３２】
Ｓ５１１で検出信号が得られなければ、装着されたディスクは残りの「ＣＤ」と判別して処理を進める（Ｓ５１３）。
【００３３】
本実施例の判別方法では、最初に最短波長のレーザ光源であるＢｌｕ−ｒａｙ  Ｄｉｓｃ用の第１のレーザ光源を発光してディスク判別を行っているので、ディスクがＢｌｕ−ｒａｙ  Ｄｉｓｃである場合、ディスク表面とそれに接近して存在する記録面とを良く分離して正確に検出することができる。よって、ＣＤ用のレーザ光源やＤＶＤ用レーザ光源からレーザ光を発光して検出する場合と比較して、ディスク表面とディスク記録面を誤判別することはない。ひいては、誤判別のために対物レンズをディスクに衝突させるような事故を生じる恐れもない。
【００３４】
また、最初に最短波長のレーザ光源であるＢｌｕ−ｒａｙ  Ｄｉｓｃ用の第１のレーザ光源を使用するので、フォーカス駆動範囲を制限した薄型化装置であっても、初回の判別ステップにてディスク装着／未装着を同時に判定することができる。よって、その後のディスク判別をより少ないステップ数で極めて効率的に行うことができ、判別作業の迅速化を図ることができる。
【００３５】
本実施例の判別方法は見方を変えると、最初に、ディスクの表面から最も浅い位置に記録面を有するＢｌｕ−ｒａｙ  Ｄｉｓｃに対応する第１のレーザ光源を発光してディスク判別を行っている。よって、ディスク表面を確実に捉えることができ、ディスク装着の有無を早期に判定し、その後のディスク判別を効率的に実行することができる。
【００３６】
次に図６は、上記ディスク判別処理におけるフォーカスアクチュエータの駆動方法の一例を示すフローチャート図である。この実施例では、フォーカスアップサーチ方式を採用している。まず最短波長の第１のレーザ光源３よりレーザを発光する（Ｓ６０１）。フォーカス駆動装置１３はフォーカス駆動信号生成回路１１に対して、フォーカス駆動値およびフォーカス加速度を設定する（Ｓ６０２）。例えば、駆動範囲を、前記図２のｂ位置（ディスクから遠ざけた位置）とｃ位置（ディスクに近づいた位置）の範囲とする。
【００３７】
まずフォーカスアクチュエータ９を駆動して、対物レンズ２（または第１の対物レンズ１５）をスタート位置であるｂ位置にセットする（Ｓ６０３）。フォーカスアクチュエータ９を駆動して、対物レンズ２をｂ位置からｃ位置に向けて、設定された加速度で移動（スキャン）させる（Ｓ６０４）。その移動過程で、全反射光量演算回路８により反射光量の和信号を、フォーカス誤差信号演算回路１０によりフォーカス誤差信号を取得する（Ｓ６０５）。反射光量の和信号およびフォーカス誤差信号を取得したら、フォーカスアクチュエータ９の駆動を停止させる（Ｓ６０６）。
【００３８】
この図６に示すディスク判別処理の特徴は、対物レンズ２または第１の対物レンズ１５を光ディスク１に近づける方向にスキャンしながら（フォーカスアップサーチ方式）、取得される反射光量の和信号およびフォーカス誤差信号に基づいてディスク判別処理を行う。この方式によれば、特にＢｌｕ−ｒａｙ  Ｄｉｓｃが装着されている場合、ディスク表面またはディスク記録面からの反射光量の和信号およびフォーカス誤差信号を検出した時点で、ディスクの判別が可能となる。判別したらすぐにフォーカスアクチュエータ９の駆動を停止させることで、対物レンズ２または第１の対物レンズ１５が光ディスク１と衝突することを防止できる。
【００３９】
また、Ｂｌｕ−ｒａｙ  Ｄｉｓｃ以外のディスクが装着されている場合でも、ディスク表面を検出した直後（約０．１ｍｍ、時間にして数十ｍｓｅｃ程度）にディスク記録面を検出できないときには、フォーカスアクチュエータ９の駆動を停止させることで、対物レンズ２または第１の対物レンズ１５が光ディスク１と衝突することを防止できる。
【００４０】
上記実施例では、対物レンズを光ディスクに近づける方向にスキャンしながらディスクを判別するフォーカスアップサーチ方式の場合としたが、本発明は、対物レンズを光ディスクから遠ざける方向にスキャンするフォーカスダウンサーチ方式にも、また両者の方式を組み合わせた往復サーチ方式にも適用できることはいうまでもない。
【００４１】
上記各実施例では装着する光ディスクとして、Ｂｌｕ−ｒａｙ  Ｄｉｓｃ、ＤＶＤ、ＣＤの３種類を対象に説明したが、本発明はこれらに限定されず、対応するレーザ光源の波長が異なる複数種類の光ディスクを対象とする場合に、広く適用できる。
【００４２】
以上述べたように、本発明による光ディスク装置及びディスク判別方法によれば、ディスク判別時のフォーカス駆動範囲が狭い場合でも、迅速かつ正確にディスクの種類を判別またはディスクが装着されたかを判定することが可能である。その際、ディスク判別処理時に対物レンズと光ディスクとの衝突を防止することが可能である。さらに本発明のディスク判別方法によれば、光ディスク装置の薄型化に大きく貢献できる。
【図面の簡単な説明】
【００４３】
【図１】各種光ディスクの記録面位置およびワーキングディスタンスを比較した図。
【図２】対物レンズをフォーカス駆動した場合に得られる反射光量の和信号とフォーカス誤差信号を示す図（Ｂｌｕ−ｒａｙ  Ｄｉｓｃの場合）。
【図３】本発明による光ディスク装置の一実施例を示す構成ブロック図。
【図４】本発明による光ディスク装置の他の実施例を示す構成ブロック図。
【図５】本発明による光ディスクの判別方法の一実施例を示すフローチャート図。
【図６】ディスク判別処理におけるフォーカスアクチュエータの駆動方法の一例を示すフローチャート図。
【符号の説明】
【００４４】
１…光ディスク、２…対物レンズ、３…第１のレーザ光源、４…第２のレーザ光源、５…第３のレーザ光源、６…レーザ発光制御回路、７…光検出器、８…全反射光量演算回路、９…フォーカスアクチュエータ、１０…フォーカス誤差信号演算回路、１１…フォーカス駆動信号生成回路、１２…フォーカスアクチュエータドライバ、１３…フォーカス制御回路、１４…ディスク判別処理回路、１５…第１の対物レンズ、１６…第２の対物レンズ。
【図１】
2006323936.tif 000003
【図２】
2006323936.tif 000004
【図３】
2006323936.tif 000005
【図４】
2006323936.tif 000006
【図５】
2006323936.tif 000007
【図６】
2006323936.tif 000008